(57)【要約】【課題】  本発明は、杖の位置を常時監視して、杖の使用者の現在位置を必要なときはいつでも簡単に短時間で判定して、捜索者の現場への到着を手助けでき、かつ杖の使用者にとっては警告燈を備えることで、自動車・バイク・自転車などの車両との衝突や他人との衝突事故を未然に防止でき、さらには周りの人に手助けを求めたい場合には杖に備えた警報音発生器を操作させることで簡単かつ確実に本人の異常事態を察知してもらえるものである。【解決手段】  正面略Ｔ字状を呈するグリップ部とこのグリップ部の下方に延伸する支承軸部で杖を構成し、このグリップ部にＧＰＳ発信機（又はＰＨＳ発信機）と警報音発生器と警告燈を備え、警報音発生器のスイッチをグリップ部の端縁部に設置したことを特徴とする。【選択図】  図２
2007167473.tif 000002
【特許請求の範囲】
【請求項１】
正面略Ｔ字状を呈するグリップ部とこのグリップ部の下方に延伸する支承軸部で杖を構成し、このグリップ部にＧＰＳ発信機と警報音発生器と警告燈を備え、警報音発生器のスイッチをグリップ部の端縁部に設置したことを特徴とする多機能杖。
【請求項２】
正面略Ｔ字状を呈するグリップ部とこのグリップ部の下方に延伸する支承軸部で杖を構成し、このグリップ部にＰＨＳ発信機と警報音発生器と警告燈を備え、警報音発生器のスイッチをグリップ部の端縁部に設置したことを特徴とする多機能杖。
【請求項３】
電池収納箱を備えてなる請求項１又は２記載の多機能杖。
【発明の詳細な説明】
【技術分野】
【０００１】
本発明は、杖の位置情報を正確に把握できるようにして、杖の使用者の現在位置を管理センターで把握でき、さらに緊急事態時には杖から警報音を発することができ、また杖に警告燈を設けることで特に夜間の衝突事故を防げるようにした多機能杖に関するものである。
【背景技術】
【０００２】
従来、杖の位置情報を正確に把握できるものは存在せず、そのため位置情報の確認が採れる多機能杖の出現が望まれていた。
【０００３】
【特許文献１】特開２００４−３３６８１号公報
【発明の開示】
【発明が解決しようとする課題】
【０００４】
上記特許文献１に記載された杖は、杖に磁石とストラップを設けたものであるが、この磁石とストラップは杖を壁などに立てかける際、特にスチール家具などに立てかける際に杖が滑って転倒しやすいので、これを防止する目的で設けられたものである。
このような杖では、実際の使用時にその杖の使用者が意識を失ったり、知覚障害などの理由で本人が自分の居場所を判断できなかったり、さらには登山等で遭難事故などに遭遇した場合等には、本人以外の者が杖の使用者の捜索をしなければならないが、実際の遭難現場等にたどり着くまでに相当の時間がかかるという問題があった。
【０００５】
本発明は、杖の位置を常時監視して、杖の使用者の現在位置を必要なときはいつでも簡単に短時間で判定して、捜索者の現場への到着を手助けでき、かつ杖の使用者にとっては警告燈を備えることで、自動車・バイク・自転車などの車両との衝突や他人との衝突事故を未然に防止でき、さらには周りの人に手助けを求めたい場合には杖に備えた警報音発生器を操作させることで簡単かつ確実に本人の異常事態を察知してもらえるものである。
本発明は、上記の全ての問題点を解消して、利便性に優れる多機能杖を提供せんとするものである。
【課題を解決するための手段】
【０００６】
上記目的を達成するために、請求項１記載の発明は、正面略Ｔ字状を呈するグリップ部とこのグリップ部の下方に延伸する支承軸部で杖を構成し、このグリップ部にＧＰＳ発信機と警報音発生器と警告燈を備え、警報音発生器のスイッチをグリップ部の端縁部に設置したことを特徴とする多機能杖である。
【０００７】
請求項２記載の発明は、正面略Ｔ字状を呈するグリップ部とこのグリップ部の下方に延伸する支承軸部で杖を構成し、このグリップ部にＰＨＳ発信機と警報音発生器と警告燈を備え、警報音発生器のスイッチをグリップ部の端縁部に設置したことを特徴とする多機能杖である。
【０００８】
請求項３記載の発明は、電池収納箱を備えてなる請求項１又は２記載の多機能杖である。
【発明の効果】
【０００９】
以上述べたように、請求項１及び２の多機能杖によれば、杖に備えたＧＰＳ発信装置又はＰＨＳ発信装置から、杖の現在位置情報が常時管理センター（基地局）に送信されるので、必要なときにはいつでもその杖の正確な位置を確認することができ、異常事態時の捜索対応には大変役立つこととなる。
【００１０】
また杖の使用者自らが、周囲の人々に自分の異常事態を知らせたいときには、警報音発生器のスイッチを押すだけで瞬時に警報音を発生させることができ、また警告燈の存在により周囲の人々、さらには自転車、バイク、自動車の運転者にも自分の存在を訴えて注意を促すことができるので、不意の衝突事故を未然に防げるなどの効果がある。
【００１１】
また請求項３の多機能杖によれば、電池収納箱を備えることで、屋外でも電源を確保できるので、使いやすい杖となる効果が達成される。
【発明を実施するための最良の形態】
【００１２】
以下添付図面に基づいて、本発明に係る多機能杖の実施例を詳説する。
図１は本発明の多機能杖の正面図、図２及び図３はグリップ部の分解斜視図、図４はグリップ部の縦断面図である。
【実施例１】
【００１３】
本発明の多機能杖１は、図１に示されるように、全体がグリップ部２及び支承軸部３で構成されている。このグリップ部２は、使用者が握り締めて杖１を保持する部分であり、そのグリップ部２の下方には棒状の支承軸部３が延伸するように取り付けられている。この支承軸部３の下端には、必要に応じてクッションゴム１１が取り付けられる。
【００１４】
本発明のグリップ部２は、全体が握りやすい形状、例えば指先を当て易くした凹凸形状になっていることが好ましく、その内部は空洞１２に形成されている。
その空洞１２に収まるように、収納コマ１３が内部にセットされ、その収納コマ１３には、例えば左から順にＧＰＳ発信機４（あるいはＰＨＳ発信機５）、警報音発生器６、電池収納箱９が備えられる。
【００１５】
さらにグリップ部２の端縁部には、警告燈７と警報音発生器のスイッチ８が備えられている。警告燈７は、赤色などの注意を惹き易い発光を発することで、杖１の周囲にいる人々や車両の運転者などに杖１を使用している人の存在を知らせ注意を促すものであり、スイッチ８は咄嗟の状況下でも、グリップ部２を握ったままで容易にスイッチ８を押しこむことができ、警報音発生器６から警報音を発生させ易くしたものである。
【００１６】
ここでＧＰＳ発信機４又はＰＨＳ発信機５を、グリップ部２の空洞１２に収める収納コマ１３に搭載させた場合の、実際の作動手順を説明する。
ＧＰＳ発信機４とは、米国国防総省が運用する汎地球規模・測位システム（グローバル・ポジショニング・システム）で用いられる発信機のことであり、複数の衛星からの電波を元に自分のいる場所を測位するシステムであり、ＧＰＳ発信機４の現在位置を管理センター（基地局）に無線で知らせることで、杖１の使用者の現在位置を知るシステムである。
【００１７】
またＰＨＳ発信機５とは、パーソナル・ハンディフォン・システムと称される通信システムで、電波による無線通信でマルチチャンネルアクセス無線技術を利用して、ＰＨＳ発信機５の現在位置を管理センター（基地局）に無線で知らせることで、杖１の使用者の現在位置を知るシステムである。
【００１８】
このＧＰＳ発信機４又はＰＨＳ発信機５で、事前に登録している管理センターに常時無線信号を発信しておくと、すべての異常事態時に瞬時にその状況をチェックできるので、認知症の患者が徘徊したときとか、登山中に遭難したときとかの異常事態時には、簡単かつ短時間で救援の人を派遣できることとなる。
【産業上の利用可能性】
【００１９】
本発明の多機能杖１は、老人、病人、怪我をしている人、認知症の人などが使用することで、その使用価値が高まるものである。
【図面の簡単な説明】
【００２０】
【図１】本発明の多機能杖の正面図である。
【図２】グリップ部の分解斜視図である。
【図３】グリップ部の分解斜視図である。
【図４】グリップ部の分解斜視図である。
【符号の説明】
【００２１】
１…杖
２…グリップ部
３…支承軸部
４…ＧＰＳ発信機
５…ＰＨＳ発信機
６…警報音発生器
７…警告燈
８…スイッチ
９…電池収納箱
１０…電池
１１…クッションゴム
１２…空洞
１３…収納コマ
【図１】
2007167473.tif 000003
【図２】
2007167473.tif 000004
【図３】
2007167473.tif 000005
【図４】
2007167473.tif 000006